(57)【特許請求の範囲】
【請求項１】
無線通信ネットワーク内で通信する方法であって、
ユーザ機器（ＵＥ）において、複数のモバイルランドマークデバイスの各々から基準信号を備えるブロードキャストを受信することと、
前記複数のモバイルランドマークデバイスの各々からの位置情報を識別することと、
複数の受信された基準信号および前記複数の位置情報に少なくとも部分的に基づいて前記ＵＥの位置を決定することと、
を備え、
前記ＵＥは、ターゲットモードとランドマークモードとを含む複数のモードで動作し、入手可能な情報に基づいて前記ターゲットモードと前記ランドマークモードとの間で移行可能である、方法。
【請求項２】
前記複数の受信された基準信号のうちの少なくとも２つに関する到着時間を測定すること
をさらに備える、請求項１に記載の方法。
【請求項３】
前記ＵＥの前記位置を決定することは、
前記少なくとも２つの測定された到着時間に基づいて到着時間差を計算することと、
前記計算された到着時間差および前記複数の位置情報に少なくとも部分的に基づいて前記ＵＥの前記位置を決定することと、
を備える、請求項２に記載の方法。
【請求項４】
前記ＵＥの前記位置を決定することは、前記複数のモバイルランドマークデバイスの各々に関して前記少なくとも２つの測定された到着時間および前記識別された位置情報に少なくとも部分的に基づいて多辺測量を行うことを備える、請求項２に記載の方法。
【請求項５】
前記ＵＥの前記決定された位置に少なくとも部分的に基づいて位置に関連するアウトバウンド基準信号および情報をブロードキャストすること
をさらに備える、請求項１に記載の方法。
【請求項６】
前記ブロードキャストすることは、エアインタフェースを通じて生じる、請求項５に記載の方法。
【請求項７】
前記受信された複数の基準信号または前記複数の識別された位置情報に少なくとも部分的に基づいて内部クロックを同期化すること
をさらに備える、請求項１に記載の方法。
【請求項８】
前記複数のモバイルランドマークデバイスのうちの少なくとも１つは、動作モードにある、請求項１に記載の方法。
【請求項９】
前記複数のモバイルランドマークデバイスのうちの少なくとも１つは、動作のための電力を供給するためのバッテリを備える、請求項１に記載の方法。
【請求項１０】
前記複数のモバイルランドマークデバイスのうちの少なくとも１つは、エアインタフェースに取り付けられる、請求項１に記載の方法。
【請求項１１】
前記ＵＥの前記決定された位置は、絶対位置である、請求項１に記載の方法。
【請求項１２】
前記複数の受信された基準信号の各々は、送信時間を備える、請求項１に記載の方法。
【請求項１３】
無線通信のためのシステムであって、
ユーザ機器（ＵＥ）において、複数のモバイルランドマークデバイスの各々から基準信号を備えるブロードキャストを受信するための手段と、
前記複数のモバイルランドマークデバイスの各々からの位置情報を識別するための手段と、
前記複数の受信された基準信号および前記複数の位置情報に少なくとも部分的に基づいて前記ＵＥの位置を決定するための手段と、
を備え、
前記ＵＥは、ターゲットモードとランドマークモードとを含む複数のモードで動作し、入手可能な情報に基づいて前記ターゲットモードと前記ランドマークモードとの間で移行可能である、システム。
【請求項１４】
前記複数の受信された基準信号のうちの少なくとも２つに関する到着時間を測定するための手段
をさらに備える、請求項１３に記載のシステム。
【請求項１５】
前記ＵＥの前記位置を決定するための前記手段は、
前記少なくとも２つの測定された到着時間に基づいて到着時間差を計算するための手段と、
前記計算された到着時間差および前記複数の位置情報に少なくとも部分的に基づいて前記ＵＥの前記位置を決定するための手段と、
を備える、請求項１４に記載のシステム。
【請求項１６】
前記ＵＥの前記位置を決定するための前記手段は、前記複数のモバイルランドマークデバイスの各々に関して前記少なくとも２つの測定された到着時間および前記識別された位置情報に少なくとも部分的に基づいて多辺測量を行うための手段を備える、請求項１４に記載のシステム。
【請求項１７】
前記ＵＥの前記決定された位置に少なくとも部分的に基づいて位置に関連するアウトバウンド基準信号および情報をブロードキャストするための手段
をさらに備える、請求項１３に記載のシステム。
【請求項１８】
前記受信された複数の基準信号または前記複数の識別された位置情報に少なくとも部分的に基づいて内部クロックを同期化するための手段
をさらに備える、請求項１３に記載のシステム。
【請求項１９】
前記複数のモバイルランドマークデバイスのうちの少なくとも１つは、動作モードにある、請求項１３に記載のシステム。
【請求項２０】
前記ＵＥの前記決定された位置は、絶対位置である、請求項１３に記載のシステム。
【請求項２１】
前記複数の受信された基準信号の各々は、送信時間を備える、請求項１３に記載のシステム。
【請求項２２】
無線通信のための装置であって、
プロセッサと、
前記プロセッサと電子的通信状態にあるメモリと、
前記メモリに格納された命令と、
を備え、前記命令は、
ユーザ機器（ＵＥ）において、複数のモバイルランドマークデバイスの各々から基準信号を備えるブロードキャストを受信し、
前記複数のモバイルランドマークデバイスの各々からの位置情報を識別し、および
前記複数の受信された基準信号および前記複数の位置情報に少なくとも部分的に基づいて前記ＵＥの位置を決定する
ために前記プロセッサによって実行可能であり、
前記ＵＥは、ターゲットモードとランドマークモードとを含む複数のモードで動作し、入手可能な情報に基づいて前記ターゲットモードと前記ランドマークモードとの間で移行可能である、装置。
【請求項２３】
前記命令は、
前記複数の受信された基準信号のうちの少なくとも２つに関する到着時間を測定する
ために前記プロセッサによって実行可能である、請求項２２に記載の装置。
【請求項２４】
前記ＵＥの前記位置を決定するための前記命令は、
前記少なくとも２つの測定された到着時間に基づいて到着時間差を計算し、および
前記計算された到着時間差および前記複数の位置情報に少なくとも部分的に基づいて前記ＵＥの前記位置を決定する
ために前記プロセッサによって実行可能である、請求項２３に記載の装置。
【請求項２５】
前記命令は、
前記ＵＥの前記決定された位置に少なくとも部分的に基づいて位置に関連するアウトバウンド基準信号および情報をブロードキャストする
ために前記プロセッサによって実行可能である、請求項２２に記載の装置。
【請求項２６】
前記命令は、
前記受信された複数の基準信号または前記複数の識別された位置情報に少なくとも部分的に基づいて内部クロックを同期化する
ために前記プロセッサによって実行可能である、請求項２２に記載の装置。
【請求項２７】
無線通信のためのコンピュータプログラム製品であって、前記コンピュータプログラム製品は、非一時的なコンピュータ読み取り可能媒体を備え、前記非一時的なコンピュータ読み取り可能媒体は、命令を記憶し、前記命令は、
ユーザ機器（ＵＥ）において、複数のモバイルランドマークデバイスの各々から基準信号を備えるブロードキャストを受信し、
前記複数のモバイルランドマークデバイスの各々からの位置情報を識別し、および
前記複数の受信された基準信号および前記複数の位置情報に少なくとも部分的に基づいて前記ＵＥの位置を決定する
ためにプロセッサによって実行可能であり、
前記ＵＥは、ターゲットモードとランドマークモードとを含む複数のモードで動作し、入手可能な情報に基づいて前記ターゲットモードと前記ランドマークモードとの間で移行可能である、コンピュータプログラム製品。
【請求項２８】
前記ＵＥの前記位置を決定するための前記命令は、
前記複数の受信された基準信号のうちの少なくとも２つに関する到着時間を測定し、
前記少なくとも２つの測定された到着時間に基づいて到着時間差を計算し、および、
前記計算された到着時間差および前記複数の位置情報に少なくとも部分的に基づいて前記ＵＥの前記位置を決定する
ために前記プロセッサによって実行可能である、請求項２７に記載のコンピュータプログラム製品。
【請求項２９】
前記命令は、
前記ＵＥの前記決定された位置に少なくとも部分的に基づいて位置に関連するアウトバウンド基準信号および情報をブロードキャストする
ために前記プロセッサによって実行可能である、請求項２７に記載のコンピュータプログラム製品。
【請求項３０】
前記命令は、
前記受信された複数の基準信号または前記複数の識別された位置情報に少なくとも部分的に基づいて内部クロックを同期化する
ために前記プロセッサによって実行可能である、請求項２７に記載のコンピュータプログラム製品。
【発明の詳細な説明】
【相互参照】
【０００１】
[0001]  本特許出願は、“Ｂｒｏａｄｃａｓｔ−Ｂａｓｅｄ  Ｐｏｓｉｔｉｏｎｉｎｇ  ｆｏｒ  Ｄｅｖｉｃｅ−ｔｏ−Ｄｅｖｉｃｅ  Ｐｒｏｘｉｍｉｔｙ  Ｓｅｒｖｉｃｅｓ”（デバイス・ツー・デバイス近接度サービスのためのブロードキャストに基づく測位）という名称を有し、２０１３年１２月１２日に出願され、これの譲受人に対して譲渡された、Ｈａｍｐｅｌ等による米国特許出願第１４／１０５，０８７号に対する優先権を主張するものである。
【背景技術】
【０００２】
[0002]  以下は、概して、無線通信に関するものであり、より具体的には、デバイス・ツー・デバイスイス位置サービスに関するものである。様々なタイプの通信コンテンツ、例えば、声、映像、パケットデータ、メッセージング、ブロードキャスト、等、を提供することを目的として無線通信システムが広範囲にわたって配備されている。これらのシステムは、利用可能なシステムリソース（例えば、時間、周波数、電力）を共有することによって複数のユーザとの通信をサポートすることが可能な多元接続システムであることができる。該多元接続システムの例は、符号分割多元接続（ＣＤＭＡ）システムと、時分割多元接続（ＴＤＭＡ）システムと、周波数分割多元接続（ＦＤＭＡ）システムと、直交周波数分割多元接続（ＯＦＤＭＡ）システムと、を含む。
【０００３】
[0003]  概して、無線多元接続通信システムは、幾つかの基地局を含むことができ、各々は、複数のモバイルデバイスに関して通信を同時にサポートする。基地局は、モバイルデバイスに幾つかの位置情報を通信することができ、モバイルデバイスは、それの位置を決定するためにそれらの幾つかの位置情報を使用することができる。さらに、幾つかのデバイス・ツー・デバイス近接度サービス（ｄｅｖｉｃｅ−ｔｏ−ｄｅｖｉｃｅ  ｐｒｏｘｉｍｉｔｙ  ｓｅｒｖｉｃｅ）は、モバイルデバイスが幾つかの情報を自律的に発見するのを可能にすることができる。しかしながら、ネットワーク信号に基づく位置決定は、例えば、屋内環境では常に信頼できるわけではない。および、デバイス・ツー・デバイス近接度検出は、デバイスが位置を決定するために例えばネットワークへの要求を開始することを要求することができる。  
【発明の概要】
【０００４】
[0004] 説明される特徴は、概して、ピア・ツー・ピア（例えば、デバイス・ツー・デバイス）の発見のための１つ以上の改良されたシステム、方法、および／または装置に関するものである。ランドマークまたはモバイルランドマークと呼ぶことができる既知の位置を有するモバイルデバイスは、ターゲットまたはターゲットデバイスと呼ぶことができるその他のモバイルデバイスによる使用のためのそれらの位置情報および／または基準信号をブロードキャストすることができる。 
[0005]  モバイルランドマークデバイスは、全地球測位システム（ＧＰＳ）情報を用いて（または、幾つかのその他の位置決定手段、例えば、ネットワーク三角測量、を用いて）それらの位置を決定することができる。ターゲットデバイスは、例えば、屋内に存在することがあるため、位置決定サービス、例えば、ＧＰＳ、に対して制限された接続を有するかまたは接続を有さないことがある。従って、ターゲットは、ターゲットの位置を決定するために１つ以上のモバイルランドマークからのブロードキャスト情報を使用することができる。ターゲットは、ランドマークに対する位置を決定することができ、または、絶対位置を決定することができる。ターゲットは、それの位置を決定した時点で、その他のデバイスに位置情報を提供するためのモバイルランドマークの役割を担うことができる。
【０００５】
[0006]  幾つかの実施形態において、無線通信ネットワーク内で通信する方法は、複数のモバイルランドマークデバイスの各々から基準信号を備えるブロードキャストを受信することと、複数のモバイルランドマークデバイスの各々からの位置情報を識別することと、複数の受信された基準信号および複数の位置情報に少なくとも部分的に基づいて位置を決定することと、を含む。
【０００６】
[0007]  幾つかの実施形態において、無線通信のためのシステムは、複数のモバイルランドマークデバイスの各々から基準信号を備えるブロードキャストを受信するための手段と、複数のモバイルランドマークデバイスの各々からの位置情報を識別するための手段と、複数の受信された基準信号および複数の位置情報に少なくとも部分的に基づいて位置を決定するための手段と、を含む。
【０００７】
[0008]  幾つかの実施形態において、無線通信のための装置は、プロセッサと、プロセッサと電子的な通信状態にあるメモリと、メモリに格納された命令と、を含む。命令は、複数のモバイルランドマークデバイスの各々から基準信号を備えるブロードキャストを受信し、複数のモバイルランドマークデバイスの各々からの位置情報を識別し、および複数の受信された基準信号および複数の位置情報に少なくとも部分的に基づいて位置を決定するためにプロセッサによって実行可能である。
【０００８】
[0009]  幾つかの実施形態において、無線通信のための命令を格納する非一時的なコンピュータ読み取り可能媒体が説明される。複数のモバイルランドマークデバイスの各々から基準信号を備えるブロードキャストを受信し、複数のモバイルランドマークデバイスの各々からの位置情報を識別し、および複数の受信された基準信号および複数の位置情報に少なくとも部分的に基づいて位置を決定するために実行可能な命令。
【０００９】
[0010]  方法、システム、装置、および／または非一時的なコンピュータ読み取り可能媒体のある例において、複数の受信された基準信号のうちの少なくとも２つに関する到着時間を測定するためのステップ、手段、および／または命令も含むことができる。
【００１０】
[0011]  方法、システム、装置、および／または非一時的なコンピュータ読み取り可能媒体の幾つかの例において、位置を決定することは、少なくとも２つの測定された到着時間に基づいて到着時間差を計算することと、計算された到着時間差および複数の位置情報に少なくとも部分的に基づいて位置を決定することと、を含むことができる。位置を決定するための手段は、少なくとも２つの測定された到着時間に基づいて到着時間差を計算するための手段と、計算された到着時間差および複数の位置情報に少なくとも部分的に基づいて位置を決定するための手段と、を含むことができる。さらに加えてまたは代替として、それらは、少なくとも２つの測定された到着時間に基づいて到着時間差を計算しおよび計算された到着時間差および複数の位置情報に少なくとも部分的に基づいて位置を決定するために実行可能な命令を含むことができる。
【００１１】
[0012]  方法、システム、装置、および／または非一時的なコンピュータ読み取り可能媒体の幾つかの例において、位置を決定することは、複数のモバイルランドマークデバイスの各々に関して少なくとも２つの測定された到着時間および識別された位置情報に少なくとも部分的に基づいて多辺測量を行うことを含むことができる。位置を決定するための手段は、複数のモバイルランドマークデバイスの各々に関して少なくとも２つの測定された到着時間および識別された位置情報に少なくとも部分的に基づいて多辺測量を行うための手段を含むことができる。さらに加えてまたは代替として、それらは、複数のモバイルランドマークデバイスの各々に関して少なくとも２つの測定された到着時間および識別された位置情報に少なくとも部分的に基づいて多辺測量を行うために実行可能な命令を含むことができる。
【００１２】
[0013]  幾つかの例において、方法、システム、装置、および／または非一時的なコンピュータ読み取り可能媒体は、決定された位置に少なくとも部分的に基づいて位置に関連するアウトバウンド（ｏｕｔｂｏｕｎｄ）基準信号および情報をブロードキャストするためのステップ、手段、および／または命令を含むこともできる。
【００１３】
[0014]  方法、システム、装置、および／または非一時的なコンピュータ読み取り可能媒体の幾つかの例において、ブロードキャストすることは、エアインタフェースを通じて生じることができる。
【００１４】
[0015]  幾つかの例において、方法、システム、装置、および／または非一時的なコンピュータ読み取り可能媒体は、受信された複数の基準信号または複数の識別された位置情報に少なくとも部分的に基づいて内部クロックを同期化するためのステップ、手段、および／または命令も含むことができる。
【００１５】
[0016]  方法、システム、装置、および／または非一時的なコンピュータ読み取り可能媒体の幾つかの例において、複数のモバイルランドマークデバイスのうちの少なくとも１つは、動作モードにあることができる。
【００１６】
[0017]  方法、システム、装置、および／または非一時的なコンピュータ読み取り可能媒体の幾つかの例において、複数のモバイルランドマークデバイスのうちの少なくとも１つは、動作のための電力を供給するためのバッテリを含むことができる。
【００１７】
[0018]  方法、システム、装置、および／または非一時的なコンピュータ読み取り可能媒体の幾つかの例において、複数のモバイルランドマークデバイスのうちの少なくとも１つは、エアインタフェースに取り付けることができる。
【００１８】
[0019]  方法、システム、装置、および／または非一時的なコンピュータ読み取り可能媒体の幾つかの例において、決定された位置は、絶対位置であることができる。
【００１９】
[0020]  方法、システム、装置、および／または非一時的なコンピュータ読み取り可能媒体の幾つかの例において、複数の受信された基準信号の各々は、送信時間を含むことができる。
【００２０】
[0021]  説明される方法および装置のさらなる適用可能範囲が以下の詳細な説明、請求項、図面から明らかになるであろう。説明の精神および適用範囲内での変更および修正が当業者にとって明らかになるため、詳細な説明および具体例は、例示のみを目的として示される。
【図面の簡単な説明】
【００２１】
[0022]  以下の図面を参照することによって本発明の性質および利点に関するさらなる理解を実現することができる。添付された図において、同様のコンポーネントまたは特徴は、同じ参照ラベルを有することができる。さらに、同じタイプの様々なコンポーネントは、同様のコンポーネントを区別するダッシュおよび第２のラベルが参照ラベルに後続することによって区別することができる。第１の参照ラベルのみが明細書において使用される場合は、説明は、第２の参照ラベルにかかわらず同じ第１の参照ラベルを有する同様のコンポーネントのうちのいずれの１つにも適用可能である。
【図１】[0023]  図１は、様々な実施形態による無線通信システムのブロック図を示す。
【図２】[0024]  図２は、様々な実施形態による多入力多出力（ＭＩＭＯ）無線通信システムの例のブロック図を示す。
【図３Ａ】[0025]  図３Ａは、様々な実施形態による無線通信デバイスのために構成されたデバイスのブロック図を示す。
【図３Ｂ】[0025]  図３Ｂは、様々な実施形態による無線通信デバイスのために構成されたデバイスのブロック図を示す。
【図４】[0026]  図４は、様々な実施形態による無線通信のために構成されたモバイルデバイスの例のブロック図を示す。
【図５】[0027]  図５は、様々な実施形態による通信システムのブロック図を示す。
【図６】[0028]  図６は、様々な実施形態による無線通信のために構成された通信システムの呼流れ図である。
【図７】[0029]  図７は、様々な実施形態による無線通信のための方法の流れ図である。
【図８】[0030]  図８は、様々な実施形態による無線通信のための方法の流れ図である。
【図９】[0031]  図９は、様々な実施形態による無線通信のための方法の流れ図である。
【発明を実施するための形態】
【００２２】
[0032]  位置サービスは、モバイルデバイスのユビキタスな（ｕｂｉｑｕｉｔｏｕｓ）部分である。ネットワーク位置決定方法はきわめて適切に働き、全地球航法衛星システム（ＧＮＳＳ）、例えば、ＧＰＳ、は、絶対位置を決定するために適切に働くことができる一方で、これらのサービスは、複数の基地局信号が検出されるかまたは妨げられていない空の視界が存在する状況に限定される可能性がある。低コストの地上位置検出サービスを提供するために、既知の位置を有するデバイス（ランドマークと呼ばれる）は、それらの位置情報および基準信号をその他のモバイルデバイス（ターゲットと呼ばれる）に関するタイムスタンプとともにブロードキャストする。ランドマークは、ＧＰＳまたはその他の位置決定手段、例えば、ネットワーク三角測量、を通じてそれの位置を決定することができる。ターゲットは、屋内に存在することがあるため、位置決定サービス、例えば、ＧＰＳ、に対して制限された接続を有するかまたは接続を有さないことがある。ターゲットは、ターゲットの位置を決定するためにランドマークからのブロードキャスト情報を使用することができる。ターゲットは、ランドマークに対する位置を決定することができまたは絶対位置を決定することができる。ターゲットデバイスは、それの位置を決定した時点で、その他のデバイスに位置情報を提供するためのランドマークの役割を担うことができる。
【００２３】
[0033]  ランドマークは、ある一定の範囲内のユーザにクーポンおよび／またはその他の商業上のインセンティブを提供することができるアドバタイジングデバイス（ａｄｖｅｒｔｉｓｉｎｇ  ｄｅｖｉｃｅ））として使用することもできる。ターゲットデバイスは、近接度信号の形をとることができるアドバタイジング情報をランドマークから受信することができる。ターゲットデバイスは、近接度信号に基づいて位置を計算すべきかどうかを決定することができる。ここにおいて使用される場合、ピア・ツー・ピアおよびデバイス・ツー・デバイスは、概して、サーバまたはネットワークコントローラ（例えば、基地局、ｅＮｏｄｅＢ、アクセスポイント、等）を通じて通信をルーティングする必要なしの状態での２つのクライアントデバイス（例えば、モバイルデバイス、ユーザ装置、電話、タブレットコンピュータ、ラップトップコンピュータ、ＰＤＡ、腕時計、プリンタ、等）間の直接的な通信を意味することができる。
【００２４】
[0034]  従って、以下の説明は、例を提供するものであり、請求項において示される適用範囲、適用可能性、または構成を限定するものではない。本開示の精神および適用範囲から逸脱することなしに論じられている要素の機能および編成の変更を行うことができる。様々な実施形態は、様々な手順または構成要素を適宜省略、置換または追加することができる。例えば、説明される方法は、説明される順序と異なるそれで実行することができ、様々なステップを追加、省略、または結合することができる。さらに、幾つかの実施形態に関して説明される特徴は、その他の実施形態において結合することができる。
【００２５】
[0035]  最初に図１を参照し、概略図は、無線通信システム１００の例を示す。システム１００は、基地局（またはセル）１０５と、通信デバイス１１５と、コアネットワーク１３０と、を含む。通信デバイス１１５は、モバイルデバイス、ユーザ装置（ＵＥ）、および／または局と呼ぶことができる。基地局１０５は、基地局コントローラ（示されていない）の制御下で通信デバイス１１５と通信することができ、基地局コントローラ（示されていない）は、様々な実施形態におけるコアネットワーク１３０または基地局１０５の一部であることができる。基地局１０５は、バックホールリンク１３２を通じてコアネットワーク１３０と制御情報および／またはユーザデータを通信することができる。バックホールリンク１３２は、有線バックホールリンク（例えば、銅、ファイバ、等）および／または無線バックホールリンク（例えば、マイクロ波、等）であることができる。幾つかの実施形態において、基地局１０５は、有線または無線通信リンクであることができるバックホールリンク１３４を通じて互いに、直接または間接的に、通信することができる。システム１００は、複数のキャリア（例えば、異なる周波数の波形信号）での動作をサポートすることができる。多キャリア送信機は、変調された信号を複数のキャリアで同時に送信することができる。例えば、各通信リンク１２５は、上述される様々な無線技術により変調された多キャリア信号であることができる。各々の変調された信号は、異なるキャリアで送信することができ、および、制御情報（例えば、基準信号、制御チャネル、等）、オーバーヘッド情報、データ、等を搬送することができる。
【００２６】
[0036]  基地局１０５は、１本以上の基地局アンテナを介してデバイス１１５と無線で通信することができる。基地局１０５のサイトの各々は、各々のカバレッジエリア１１０に関する通信カバレッジを提供することができる。幾つかの実施形態において、基地局１０５は、ベーストランシーバ局、ラジオ基地局、アクセスポイント、ラジオトランシーバ、ベーシックサービスセット（ＢＳＳ）、拡張サービスセット（ＥＳＳ）、ノードＢ、ｅＮｏｄｅＢ（ｅＮＢ）、ホームノードＢ、ホームｅＮｏｄｅＢと呼ぶこと、または何らかのその他の適切な用語で呼ぶことができる。基地局に関するカバレッジエリア１１０は、カバレッジエリア（示されていない）の一部分のみを成すセクタに分割することができる。システム１００は、異なるタイプの基地局１０５（例えば、マクロ、ミクロ、および／またはピコ基地局）を含むことができる。異なる技術に関して重なり合うカバレッジエリアが存在することができる。
【００２７】
[0037]  通信デバイス１１５は、無線ネットワーク１００全体にわたって分散されており、各デバイスは、静止型または移動型であることができる。通信デバイス１１５は、当業者によって、移動局、加入者局、モバイルユニット、加入者ユニット、ワイヤレスユニット、リモートユニット、モバイルデバイス、ワイヤレスデバイス、無線通信デバイス、リモートデバイス、モバイル加入者局、アクセス端末、モバイル端末、ワイヤレス端末、遠隔端末、ハンドセット、ユーザエージェント、ユーザ装置、モバイルクライアント、クライアントと呼ぶこと、または何らかのその他の適切な用語で呼ぶことができる。通信デバイス１１５は、携帯電話、パーソナルデジタルアシスタント（ＰＤＡ）、ワイヤレスモデム、無線通信デバイス、ハンドヘルドデバイス、タブレットコンピュータ、ラップトップコンピュータ、コードレスフォン、ワイヤレスローカルループ（ＷＬＬ）局、等であることができる。通信デバイスは、マクロ基地局、ピコ基地局、フェムト基地局、中継基地局、等と通信することができる。
【００２８】
[0038]  ネットワーク１００において示される送信リンク１２５は、モバイルデバイス１１５から基地局１０５へのアップリンク（ＵＬ）送信、および／または基地局１０５からモバイルデバイス１１５へのダウンリンク（ＤＬ）送信を含むことができる。ダウンリンク送信は、順方向リンク送信と呼ぶこともでき、アップリンク送信は、逆方向リンク送信と呼ぶこともできる。モバイルデバイスは、直接的なピア・ツー・ピア接続１３５、例えば、ＬＴＥ（登録商標）−Ｄｉｒｅｃｔ、を通じて互いに通信することもできる。幾つかの場合において、カバレッジセルの外側に位置する（または低信号強度を有する、または位置サービスをサポートしないカバレッジエリア内に位置する）デバイス１１５−ａは、情報、例えば、ネットワークまたは位置情報、を取得するためにその他のモバイルデバイス１１５と通信する１３５ことができる。
【００２９】
[0039]  例えば、モバイルデバイス１１５−ａは、ＧＮＳＳ信号、例えば、ＧＰＳ、を受信することができない。幾つかの場合において、モバイルデバイス１１５−ａは、屋内に位置するためＧＮＳＳ信号を受信することができない。様々な実施形態において、モバイルデバイス１１５−ａは、ネットワーク信号に基づいて位置を決定することができない−例えば、デバイス１１５−ａは、位置を決定する上で十分な数の基地局１０５と通信することができず、または、基地局１０５は、ネットワークに基づく位置サービスを提供することができない。しかしながら、デバイス１１５−ａは、ターゲットとして行動することができ、および、それらの位置を決定済みのその他のデバイス１１５、例えば、ランドマークとして行動しているデバイス、からブロードキャストを受信することができる。幾つかの場合において、モバイルデバイス１１５−ａは、ピア・ツー・ピア通信を可能にするランドマークからの距離内に位置する。ランドマークからのブロードキャストは、基準信号を含むことができる。モバイルデバイス１１５−ａは、ランドマークデバイスからの位置情報を識別することができ、および、受信された基準信号および決定された位置情報に少なくとも部分的に基づいてそれの位置を決定することができる。
【００３０】
[0040]  実施形態において、システム１００は、ＬＴＥ／ＬＴＥ−Ａネットワークである。ＬＴＥ／ＬＴＥ−Ａネットワークにおいて、用語エボルブドノードＢ（ｅＮＢ）およびユーザ装置（ＵＥ）は、概して、基地局１０５および通信デバイス１１５をそれぞれ説明するために使用することができる。システム１００は、異なるタイプのｅＮＢが様々な地理上の地域のためのカバレッジを提供するＨｅｔｅｒｏｇｅｎｅｏｕｓ  ＬＴＥ／ＬＴＹＥ−Ａネットワークであることができる。例えば、各ｅＮＢ１０５は、マクロセル、ピコセル、フェムトセル、および／またはその他のタイプのセルに関する通信カバレッジを提供することができる。マクロセルは、概して、相対的に大きな地理上のエリア（例えば、半径数キロメートル）を網羅し、ネットワークプロバイダとサービス加入契約を有するＵＥによる無制限のアクセスを許可することができる。ピコセルは、概して、相対的にそれよりも小さい地理上のエリアを網羅し、ネットワークプロバイダとサービス加入契約を有するＵＥによる無制限のアクセスを許可することができる。フェムトセルも概して相対的に小さい地理上のエリア（例えば、自宅）を網羅し、無制限のアクセスに加えて、フェムトセルと関連するＵＥ（例えば、クローズド加入者グループ（ＣＳＧ）内のＵＥ、自宅内のユーザのためのＵＥ、等）による制限されたアクセスを提供することもできる。マクロセルに関するｅＮＢは、マクロｅＮＢと呼ぶことができる。ピコセルに関するｅＮＢは、ピコｅＮＢと呼ぶことができる。および、フェムトセルに関するｅＮＢは、フェムトｅＮＢまたはホームｅＮＢと呼ぶことができる。ｅＮＢは、１つまたは複数の（例えば、２、３、４、等）セルをサポートすることができる。
【００３１】
[0041]  ＬＴＥ／ＬＴＥ−Ａネットワークアーキテクチャによる通信システム１００は、エボルブドパケットシステム（ＥＰＳ）１００と呼ぶことができる。ＥＰＳ１００は、１つ以上のＵＥ１１５と、エボルブドＵＭＴＳ地上無線アクセスネットワーク（Ｅ−ＵＴＲＡＮ）と、エボルブドパケットコア（ＥＰＣ）１３０（例えば、コアネットワーク１３０）と、ホーム加入者サーバ（ＨＳＳ）と、オペレータＩＰサービスと、を含むことができる。ＥＰＳは、その他の無線アクセス技術を用いてその他のアクセスネットワークと相互に接続することができる。
【００３２】
[0042]  Ｅ−ＵＴＲＡＮは、ｅＮＢ１０５を含むことができ、および、ＵＥ１１５に向けてのユーザプレーンおよび制御プレーンプロトコル終端を提供することができる。ｅＮＢ１０５は、バックホールリンク１３４（例えば、Ｘ２インタフェース、等）を介してその他のｅＮＢ１０５に接続することができる。ｅＮＢ１０５は、ＵＥ１１５に関するＥＰＣ１３０にアクセスポイントを提供することができる。ｅＮＢ１０５は、ＥＰＣ１３０にバックホールリンク１３２（例えば、Ｓ１インタフェース、等）によって接続することができる。
【００３３】
[0043]  図２は、基地局またはｅＮＢ１０５−ａおよびモバイルデバイスまたはＵＥ１１５−ｂを含むＭＩＭＯ通信システム２００のブロック図である。基地局１０５−ａは、図１の基地局１０５の例であることができ、モバイルデバイス１１５−ｂは、図１の通信デバイス１１５の例であることができる。このシステム２００は、図１のシステム１００の態様を例示することができる。基地局１０５−ａは、Ｍ本のアンテナ２３４−ａ乃至２３４−ｍを装備することができ、モバイルデバイス１１５−ｂは、Ｎ本のアンテナ２５２−ａ乃至２５２−ｎを装備することができる。システム２００において、基地局１０５−ａは、通信リンクを通じての送信のための複数のアンテナ技法を採用することができる。例えば、基地局１０５−ａは、モバイルデバイス１１５−ｂによって受信された送信のロバストネス（ｒｏｂｕｓｔｎｅｓｓ）を向上させるために送信ダイバーシティを採用することができる。モバイルデバイス１１５−ｂは、複数のアンテナで受信された信号を結合するために複数の受信アンテナを用いて受信ダイバーシティを採用することができる。
【００３４】
[0044]  基地局１０５−ａにおいて、送信（Ｔｘ）プロセッサ２２０は、データソースからデータを受信することができる。送信プロセッサ２２０は、データを処理することができる。送信プロセッサ２２０は、基準シンボル、および各々のセルごとの基準信号を生成することもできる。送信（Ｔｘ）ＭＩＭＯプロセッサ２３０は、該当する場合は、データシンボル、制御シンボル、および／または基準シンボルに関する空間処理（例えば、プリコーディング）を行うことができ、および、送信変調器２３２−ａ乃至２３２−ｍに出力シンボルストリームを提供することができる。各変調器２３２は、出力サンプルストリームを得るために（例えば、ＯＦＤＭ、等に関する）各々の出力シンボルストリームを処理することができる。各変調器２３２は、ダウンリンク（ＤＬ）信号を得るために出力サンプルストリームをさらに処理する（例えば、アナログに変換する、増幅する、フィルタリングする、およびアップコンバートする）ことができる。一例において、変調器２３２−ａ乃至２３２−ｍからのＤＬ信号は、アンテナ２３４−ａ乃至２３４−ｍをそれぞれ介して送信することができる。幾つかの場合において、変調器２３２−ａ乃至２３２−ｍは、免許を有する周波数帯域および免許を有さない周波数帯域の両方に関してアンテナ２３４−ａ乃至２３４−ｍを介して信号を送信することができる。
【００３５】
[0045]  モバイルデバイス１１５−ｂにおいて、モバイルデバイスアンテナ２５２−ａ乃至２５２−ｎは、基地局１０５−ａからＤＬ信号を受信することができ、および、復調器２５４−ａ乃至２５４−ｎに受信された信号をそれぞれ提供することができる。各復調器２５４は、入力サンプルを得るために各々の受信された信号をコンディショニング（例えば、フィルタリング、増幅、ダウンコンバート、およびデジタル化）することができる。各復調器２５４は、受信されたシンボルを得るために（例えば、ＯＦＤＭ、等に関する）入力サンプルをさらに処理することができる。ＭＩＭＯ検出器２５６は、全復調器２５４−ａ乃至２５４−ｎから受信されたシンボルを得ること、該当する場合は受信されたシンボルに関するＭＩＭＯ検出を行うこと、および検出されたシンボルを提供することができる。受信（Ｒｘ）プロセッサ２５８は、検出されたシンボルを処理（例えば、復調、デインターリーブ、および復号）してモバイルデバイス１１５−ｂに関する復号されたデータをデータ出力に提供すること、および、プロセッサ２８０、またはメモリ２８２に復号された制御情報を提供することができる。このようにして、モバイルデバイス１１５−ｂは、基地局１０５−ａから位置情報を受信することができる。従って、ＵＥ１１５−ｂは、ランドマークデバイスとして行動することができ、および、ターゲットモードでＵＥ１１５に基準信号をブロードキャストすることができる。
【００３６】
[0046]  アップリンク（ＵＬ）で、モバイルデバイス１１５−ｂにおいて、送信（Ｔｘ）プロセッサ２６４は、データソースまたはメモリ２４２に結合されたプロセッサ２４０からデータを受信および処理することができる。送信プロセッサ２６４は、基準信号に関する基準シンボルを生成することもできる。送信プロセッサ２６４からのシンボルは、該当する場合は送信（Ｔｘ）ＭＩＭＯプロセッサ２６６によってプリコーディングし、（例えば、ＳＣ−ＦＤＭＡ、等に関する）復調器２５４−ａ乃至２５４−ｎによってさらに処理し、基地局１０５−ａから受信された送信パラメータにより基地局１０５−ａに送信することができる。基地局１０５−ａにおいて、モバイルデバイス１１５−ｂからのＵＬ信号は、アンテナ２３４によって受信し、復調器２３２によって処理し、該当する場合はＭＩＭＯ検出器２３６によって検出し、受信（Ｒｘ）プロセッサ２３８によってさらに処理することができる。受信プロセッサ２３８は、データ出力およびプロセッサ２４０に復号されたデータを提供することができる。
【００３７】
[0047]  基地局１０５−ａのコンポーネントは、個々にまたは全体で、ハードウェア内の該当する機能の一部または全部を実行するように好適化された１つ以上の特定用途向け集積回路（ＡＳＩＣ）とともに実装することができる。注記されるモジュールの各々は、システム２００の動作に関連する１つ以上の機能を実行するための手段であることができる。同様に、モバイルデバイス１０５−ｂのコンポーネントは、個々にまたは全体で、ハードウェア内の該当する機能の一部または全部を実行するように好適化された１つ以上の特定用途向け集積回路（ＡＳＩＣ）とともに実装することができる。注記されるコンポーネントの各々は、システム２００の動作に関連する１つ以上の機能を果たすための手段であることができる。図２の動作は、基地局１０５−ａおよびモバイルデバイス１１５−ｂを参照して説明される一方で、直接通信する２つのモバイルデバイス１１５に対して同様の動作および特徴を適用することができることを当業者は認識するであろう。例えば、直接的なピア・ツー・ピア接続１３５（図１）を介して通信する２つのモバイルデバイス１１５は、ここにおいて説明されるようにＭＩＭＯ技法を実質的に採用することができる。
【００３８】
[0048]  今度は図３Ａを参照し、図３Ａは、様々な実施形態による、ピア・ツー・ピアまたはデバイス・ツー・デバイス位置サービスのために構成されたデバイス１１５−ｃのブロック図３００を示す。デバイス１１５−ｃは、例えば、図１または２において例示されるＵＥ１１５の態様を例示することができる。デバイス１１５−ｃは、受信機モジュール３１０、送信機モジュール３２０、および／または位置モジュール３３０を含むことができる。これらのコンポーネントの各々は、互いに通信状態にあることができる。幾つかの実施形態において、デバイス１１５−ｃはプロセッサである。
【００３９】
[0049]  デバイス１１５−ｃのコンポーネントは、ここにおいて説明される機能を果たすように設計された汎用プロセッサ、デジタル信号プロセッサ（ＤＳＰ）、特定用途向け集積回路（ＡＳＩＣ）、フィールドプログラマブルゲートアレイ（ＦＰＧＡ）、その他のプログラマブル論理デバイス、ディスクリートゲートロジック、ディスクリートトランジスタロジック、ディスクリートハードウェアコンポーネント、またはそれらのあらゆる組合せ、を用いて実装又は実行することが可能である。汎用プロセッサはマイクロプロセッサであることができるが、代替においては、プロセッサは、従来のどのようなプロセッサ、コントローラ、マイクロコントローラ、またはステートマシンであってもよい。プロセッサは、コンピューティングデバイスの組合せ、例えば、ＤＳＰと、１つのマイクロプロセッサとの組合せ、複数のマイクロプロセッサとの組合せ、ＤＳＰコアと関連する１つ以上のマイクロプロセッサとの組合せ、又はあらゆるその他の構成、として実装することも可能である。
【００４０】
[0050]  デバイス１１５−ｃは、ここにおいて説明される機能を実行すること、または、ここにおいて説明される機能を実行するための手段を含むこと、ができる。幾つかの実施形態において、受信機モジュール３１０は、他のモバイルデバイスからまたはネットワークから信号を受信する。位置モジュール３３０は、受信された信号を処理し、受信された信号に基づいてモバイルデバイス１１５−ｃの位置を決定することができる。位置モジュール３３０は、受信された信号から位置情報を識別することができる。幾つかの場合において、位置モジュール３３０は、１つ以上のその他のモバイルデバイスまでの距離を計算する。位置モジュール３３０または送信機モジュール３２０、またはそれらの２つの組み合わせは、位置に関連するアウトバウンド基準信号および／または情報をその他のモバイルデバイスにブロードキャストすることができる。
【００４１】
[0051]  次に、図３Ｂは、様々な実施形態による、ピア・ツー・ピアまたはデバイス・ツー・デバイス位置サービスのために構成されたデバイス１１５−ｄのブロック図３００−ａを示す。デバイス１１５−ｄは、例えば、図１、２、および／または３Ａにおいて例示されるＵＥ１１５の態様を例示することができる。デバイス１１５−ｄは、受信機モジュール３１０−ａ、送信機モジュール３２０−ａ、および／または位置モジュール３３０−ａを含むことができる。これらのコンポーネントの各々は、互いに通信状態にあることができ、各々は、図３Ａにおいて例示される対応するモジュールと実質的に同じ機能を実行することができる。幾つかの実施形態において、デバイス１１５−ｄはプロセッサである。
【００４２】
[0052]  デバイス１１５−ｄのコンポーネントは、ここにおいて説明される機能を果たすように設計された汎用プロセッサ、デジタル信号プロセッサ（ＤＳＰ）、特定用途向け集積回路（ＡＳＩＣ）、フィールドプログラマブルゲートアレイ（ＦＰＧＡ）、その他のプログラマブル論理デバイス、ディスクリートゲートロジック、ディスクリートトランジスタロジック、ディスクリートハードウェアコンポーネント、またはそれらのあらゆる組合せ、を用いて実装又は実行することが可能である。汎用プロセッサはマイクロプロセッサであることができるが、代替においては、プロセッサは、従来のどのようなプロセッサ、コントローラ、マイクロコントローラ、またはステートマシンであってもよい。プロセッサは、コンピューティングデバイスの組合せ、例えば、ＤＳＰと、１つのマイクロプロセッサとの組合せ、複数のマイクロプロセッサとの組合せ、ＤＳＰコアと関連する１つ以上のマイクロプロセッサとの組合せ、又はあらゆるその他の構成、として実装することも可能である。  
[0053]  モバイルデバイス１１５−ｄは、複数のモードで動作することができる。ターゲットモードと呼ばれる一モードにおいては、モバイルデバイスは、他のモバイルデバイスからのおよび／またはネットワークからの受信された信号に少なくとも部分的に基づいてそれの位置を決定するのを試みることができる。ランドマークモードと呼ばれる他のモードにおいては、モバイルデバイスは、可能なことにターゲットモードにあるその他のモバイルデバイスが信号を受信し、受信された信号に少なくとも部分的に基づいて各々の位置を決定することができるようにそれの位置を含む信号をブロードキャストすることができる。モバイルデバイス１１５−ｄは、モバイルデバイス１１５−ｄが現在入手可能な情報に基づいてターゲットモードとランドマークモードとの間で移行することができる。幾つかの場合において、モバイルデバイス１１５−ｄは、動作モードで同時に行動しながらランドマークモードまたはターゲットモードで動作することができ、ネットワークとデータをやり取りすることを含むことができる。
【００４３】
[0054]  従って、位置モジュール３３０−ａは、ランドマーク決定モジュール３４０および／またはターゲット決定モジュール３５０を含むことができる。ランドマーク決定モジュール３４０は、受信された信号から位置情報を識別するように構成することができる。幾つかの場合において、ランドマーク決定モジュール３４０は、受信された信号に少なくとも部分的に基づいて距離を計算するように構成される。ランドマーク決定モジュール３４０は、受信された信号に少なくとも部分的に基づいて内部クロックを同期化するように構成することができる。様々な実施形態において、ランドマーク決定モジュール３４０は、受信された信号に少なくとも部分的に基づいて位置を決定するように構成される。幾つかの場合において、決定された位置は、他のデバイスまたはランドマークへの近接度、または他のデバイスまたはランドマークに対する位置ではなく、絶対位置である。ターゲット決定モジュール３５０は、情報、例えば、モバイルデバイス１１５−ｄの決定された位置に関連する基準信号および／または情報を有する信号、例えば、アウトバウンドブロードキャスト、を準備することができる。幾つかの場合において、ブロードキャストは、エアインタフェースを通じて生じることができる。
【００４４】
[0055]  幾つかの実施形態において、ランドマークモードで動作するモバイルデバイス１１５は、ターゲットデバイスにアドバタイズするために使用することができる。例えば、ランドマークデバイス１１５は、ランドマークデバイス１１５においてまたはランドマークデバイス１１５の付近で入手可能な物品またはサービスに関連するクーポンおよび／またはその他のプロモーション材料をブロードキャストすることができる。幾つかの場合において、例えば、近接度信号の一態様としてのアドバタイジングを受信するターゲットデバイス１１５は、アドバタイズされた物品またはサービスに関する追加情報を確認するために信号に関して追加動作を行うことができる。例えば、ターゲット１１５は、ランドマークからのアドバタイズメントに基づいて相対位置又は絶対位置を計算すべきかどうかを決定することができる。
【００４５】
[0056]  今度は図４を参照し、図４は、様々な実施形態による、デバイス・ツー・デバイス位置サービスのために構成されたモバイルデバイス１１５−ｅのブロック図４００を示す。モバイルデバイス１１５−ｅは、様々な構成、例えば、パーソナルコンピュータ（例えば、ラップトップコンピュータ、ネットブックコンピュータ、タブレットコンピュータ、等）、携帯電話、ＰＤＡ、スマートフォン、デジタルビデオレコーダ（ＤＶＲ）、インターネット機器、ゲームプレイコンソール、電子リーダー、等のうちのいずれかを有することができる。モバイルデバイス１１５−ｅは、モバイル動作を容易にするための内部電源（示されていない）、例えば、小型バッテリ、を有することができる。幾つかの実施形態において、モバイルデバイス１１５−ｅは、図１、２、３Ａ、または３Ｂのモバイルデバイス１１５であることができる。
【００４６】
[0057]  モバイルデバイス１１５−ｅは、概して、通信を送信するためのコンポーネントと通信を受信するためのコンポーネントとを含む、双方向の声およびデータ通信のためのコンポーネントを含むことができる。モバイルデバイス１１５−ｅは、アンテナ４０５と、送信機モジュール４１０と、受信機モジュール４１５と、プロセッサモジュール４７０と、メモリ４８０（および、ソフトウェア（ＳＷ）４８５）と、を含むことができ、各々は、直接または間接的に、（例えば、１つ以上のバス４９０を介して）互いに通信することができる。送信機モジュール４１０および受信機モジュール４１５は、トランシーバモジュールとして構成することができ、および、上述されるように、１つ以上のネットワークと、アンテナ４０５および／または１つ以上の有線または無線リンクを介して、双方向で通信することができる。例えば、送信機モジュール４１０および受信機モジュール４１５は、図１または２の基地局１０５および／またはモバイルデバイス１１５と双方向で通信するように構成することができる。送信機モジュール４１０および受信機モジュール４１５は、送信のためにパケットを変調して変調されたパケットをアンテナ４０５に提供するように、および、アンテナ４０５から受信されたパケットを復調するように構成されたモデムであることまたはモデムを含むことができる。モバイルデバイス１１５−ｅは、単一のアンテナ４０５を含むことができる一方で、モバイルデバイス１１５−ｅは、複数の無線送信メッセージを同時並行して送信および／または受信することが可能な複数のアンテナ４０５を有することができる。
【００４７】
[0058]  メモリ４８０は、ランダムアクセスメモリ（ＲＡＭ）と、読み取り専用メモリ（ＲＯＭ）と、を含むことができる。メモリ４８０は、実行されたときにここにおいて説明される様々な機能（例えば、ランドマークデバイスからの受信された基準信号および位置情報に基づいて位置を決定すること）を実行することをプロセッサモジュール４７０に行わせるように構成される命令が入っている、コンピュータによって読み取り可能で、コンピュータによって実行可能なソフトウェア／ファームウェアコード４８５、を格納することができる。代替として、ソフトウェア／ファームウェアコード４８５は、プロセッサモジュール４７０によって直接実行することができないが、ここにおいて説明される機能を実行することを（例えば、コンパイルおよび実行されたときに）コンピュータに行わせるように構成することができる。
【００４８】
[0059]  プロセッサモジュール４７０は、インテリジェントなハードウェアデバイス、例えば、中央処理装置（ＣＰＵ）、マイクロコントローラ、特定用途向け集積回路（ＡＳＩＣ）、等を含むことができる。モバイルデバイス１１５−ｅは、マイクロフォンを介して音声を受信し、受信された音声を代表するパケット（例えば、長さ２０ｍｓ、長さ３０ｍｓ、等）に音声を変換し、送信機モジュール４１０および／または受信機モジュール４１５に音声パケットを提供し、および、ユーザが話し中であるかどうかの指示を提供するように構成された話声符号器（示されていない）を含むことができる。
【００４９】
[0060]  図４のアーキテクチャにより、モバイルデバイス１１５−ｅは、図３Ａおよび３Ｂのデバイス１１５の対応するモジュールと実質的に同じであることができる位置モジュール３３０−ｂをさらに含むことができる。幾つかの場合において、位置モジュール３３０−ｂは、図３Ｂを参照して説明されるランドマーク決定モジュール３４０および／またはターゲット決定モジュール３５０の機能を実行するように構成される。
【００５０】
[0061]  例として、位置モジュール３３０−ｂは、バスを介してモバイルデバイス１１５−ｅのその他のコンポーネントのうちの一部または全部と通信状態にあるモバイルデバイス１１５−ｅのコンポーネントであることができる。代替として、モジュールの機能は、非一時的なコンピュータ読み取り可能媒体としておよび／またはプロセッサモジュール４７０の１つ以上のコントローラ要素として実装することができる。
【００５１】
[0062]  図５は、様々な実施形態による無線通信システム５００の例を示す。このシステムは、例えば、図１を参照して説明される基地局１０５、モバイルデバイス１１５、カバレッジエリア１１０、送信リンク１２５、およびデバイス通信リンク１３５をそれぞれ例示することができる、基地局１０５−ｂ、１０５ｃ、および１０５−ｄと、モバイルデバイス１１５−ｆ乃至１１５−ｌと、カバレッジエリア１１０−ａ、１１０−ｂ、および１１０−ｃと、送信リンク１２５−ａと、デバイス通信リンク１３５−ａと、を含むことができる。システム５００は、デッドゾーン５１０をさらに含む。デッドゾーン５１０は、ＧＮＳＳカバレッジを有さない、または弱いＧＮＳＳカバレッジを有するエリアであることができる。幾つかの場合において、デッドゾーン５１０は、ネットワークカバレッジ１１０を有さないエリアまたはある程度のネットワークカバレッジ１１０を有するが、ネットワーク信号に基づいて位置決定する上で十分なネットワークカバレッジを有さないエリアである。デッドゾーン５１０は、ネットワークカバレッジ１１０−ｃを有することができるが、ネットワークは、デッドゾーン５１０内ではネットワークに基づく位置上の特徴を提供することができない。様々な実施形態において、デッドゾーン５１０は、屋内エリアであることができる。
【００５２】
[0063]  セルカバレッジエリア１１０−ａおよび１１０−ｂ内のモバイルデバイス１１５−ｇ、１１５−ｈ、および１１５−ｉは、ネットワークの基地局１０５−ｂおよび１０５−ｃから信号を受信することができる。幾つかの場合において、デッドゾーン５１０の外側のモバイルデバイス１１５−ｇ、１１５−ｈ、および１１５−ｉは、他のネットワーク、例えば、ＧＰＳ、または位置決定ネットワーク、と接続することができる。カバレッジエリア１１０−ａまたは１１０−ｂ内のモバイルデバイス１１５−ｇ、１１５−ｈ、および１１５−ｉは、最初にターゲットモードで動作中であることができる。ターゲットモバイルデバイス１１５−ｇ、１１５−ｈ、および１１５−ｉは、送信リンク１２５−ａを用いてネットワークと通信することができる。ターゲットモバイルデバイス１１５−ｇ、１１５−ｈ、および１１５−ｉは、ネットワークから信号、またはブロードキャストを受信することができる。幾つかの場合において、ブロードキャストは、基準信号を含む。ターゲットモバイルデバイス１１５−ｇ、１１５−ｈ、および１１５−ｉは、受信されたブロードキャストと内部クロックを同期化することができる。幾つかの場合において、ターゲットモバイルデバイス１１５−ｇ、１１５−ｈ、および１１５−ｉは、方法、例えば、到着時間差（ＴＤＯＡ）、ネットワーク三角測量または多辺測量（例えば、三辺測量）、を用いて、および／または、全地球航法衛星システム（ＧＮＳＳ）、例えば、ＧＰＳ、を通じて、それらの位置を決定する。
【００５３】
[0064]  モバイルデバイス１１５−ｇ、１１５−ｈ、および１１５−ｉは、それらの位置を取得した時点で、ターゲットモードからランドマークモードに切り換わることができる。モバイルデバイス１１５−ｇ、１１５−ｈ、および１１５−ｉがランドマークモードにあるときには、各デバイスは、アウトバウンド信号をブロードキャストすることができる。様々な実施形態において、モバイルランドマークデバイスは、少なくとも１つのリソースをネットワークに要求することができる。ブロードキャストは、少なくとも１つの要求されたリソースを使用することができる。幾つかの場合において、ブロードキャストは、各デバイスの決定された位置に少なくとも部分的に基づいた位置に関連する基準信号および／または情報を含む。情報はブロードキャストであるため、近隣のモバイルデバイスは、モバイルデバイス１１５−ｇ、１１５−ｈ、または１１５−ｉをプロンプト（ｐｒｏｍｐｔ）せずにブロードキャストを受信することができる。換言すると、近隣のモバイルデバイス１１５は、ブロードキャストを受信するために要求を送信する必要がない。モバイルデバイス１１５がブロードキャストを受信および／または識別する上では単にターゲットモードにあるだけで十分であることができる。
【００５４】
[0065]  ターゲットモードにある近隣のモバイルデバイス１１５−ｆは、デバイス通信リンク１３５−ａを用いてランドマークモバイルデバイス１１５−ｇ、１１５−ｈ、および１１５−ｉのブロードキャストを受信することができる。様々な実施形態において、ターゲットモバイルデバイス１１５−ｆは、ネットワークカバレッジ１１０−ｃを受信することができるが、位置を決定する上では十分なネットワークカバレッジではなく、または、ネットワーク１１０−ｃは、ネットワークに基づく位置上の特徴をサポートすることができない。幾つかの場合において、ターゲットモバイルデバイス１１５−ｆは、位置を決定するために２つ以上のランドマークモバイルデバイスが必要である。ターゲットモバイルデバイス１１５−ｆは、位置を決定するために３つ以上のランドマークモバイルデバイスが必要になることがある。ターゲットモバイルデバイス１１５−ｆは、基準信号を含むことができるブロードキャストをランドマークモバイルデバイス１１５−ｇ、１１５−ｈ、および１１５−ｉから受信する。幾つかの場合において、ブロードキャストは、モバイルランドマークデバイス１１５−ｇ、１１５−ｈ、または１１５−ｉの位置に関連する情報をさらに含む。基準信号は、送信時間を含むことができる。ターゲットモバイルデバイス１１５−ｆは、複数のモバイルランドマークデバイス１１５−ｇ、１１５−ｈ、および／または１１５−ｉからの受信されたブロードキャストに少なくとも部分的に基づいてそれの位置を決定することができる。幾つかの場合において、ターゲットモバイルデバイス１１５−ｆおよび／またはランドマークモバイルデバイス１１５−ｇ、１１５−ｈ、および１１５−ｉは、地上のデバイスである。
【００５５】
[0066]  ターゲットモバイルデバイス１１５−ｆは、到着時間差（ＴＤＯＡ）を介してそれの位置を計算することができる。様々な実施形態において、ＴＤＯＡ計算は、複数のランドマークモバイルデバイス１１５−ｇ、１１５−ｈ、および１１５−ｉから受信されたブロードキャストの到着時間（ＴＯＡ）測定値に基づく。ＴＯＤ計算は、少なくとも２つのＴＯＡ測定値に基づくことができる。幾つかの場合において、到着時間測定は、ターゲットの内部クロックに関して行われる。ＴＤＯＡ計算は、ランドマークデバイス１１５−ｇ、１１５−ｈ、および１１５−ｉからのブロードキャスト情報、例えば、ブロードキャスト送信時間および／またはランドマーク位置情報、を含むことができる。
【００５６】
[0067]  幾つかの場合において、ターゲットモバイルデバイス１１５−ｆは、複数のモバイルランドマークデバイス１１５−ｇ、１１５−ｈ、および１１５−ｉの各々までの距離を計算する。モバイルランドマークデバイスまでの距離を計算することは、受信された基準信号に少なくとも部分的に基づいて到着時間差を計算することを含むことができる。幾つかの場合において、モバイルランドマークデバイスまでの距離を計算することは、受信された基準信号に少なくとも部分的に基づいてフライト時間を計算することを含む。モバイルランドマークデバイス１１５−ｇ、１１５−ｈ、および１１５−ｉの各々までの計算された距離を使用して、ターゲットモバイルデバイス１１５は、それの位置を決定することができる。幾つかの実施形態において、ターゲットモバイルデバイス１１５−ｆは、多辺測量によってそれの位置を決定する。
【００５７】
[0068]  それの位置を決定した時点で、ターゲットモバイルデバイス１１５ｆは、ターゲットモードからランドマークモードに移行することができる。いったんランドマークモードになった時点で、モバイルデバイスランドマークデバイス１１５−ｆは、それの決定された位置に関連する基準信号および／または情報をブロードキャストすることができる。モバイルランドマークデバイスは、カバレッジエリア１１０内に位置する必要がないことが注目されるべきである。幾つかの実施形態において、モバイルランドマークデバイス１１５は、決定された位置を有する必要がある。幾つかの場合において、モバイルデバイス１１５は、モバイルランドマークデバイスとして行動するために、例えば、その他のモバイルランドマークデバイス１１５−ｇ、１１５−ｈ、および／または１１５−ｉとおよび／またはネットワークと、内部クロックが同期化される必要がある。例えば、ターゲットモバイルデバイス１１５−ｊは、現在カバレッジエリア１１０内に位置するモバイルランドマークデバイス１１５−ｇおよび１１５−ｈから、および、デッドゾーン５１０内に位置するモバイルランドマークデバイス１１５−ｆからブロードキャストを受信することができる。幾つかの実施形態において、ターゲットモバイルデバイス１１５−ｋは、現在デッドゾーン５１０に位置するモバイルランドマークデバイス１１５−ｆ、１１５−ｊ、および１１５−ｌのみからブロードキャストを受信する。
【００５８】
[0069]  次に、図６は、様々な実施形態による、ピア・ツー・ピア、またはデバイス・ツー・デバイス位置サービスのために構成された無線通信システム６００を例示した呼流れ図である。幾つかの実施形態において、システムは、例えば、図１、２、および５を参照して説明される基地局１０５の態様を例示することができる基地局１０５−ｅを含む。システム６００は、例えば、図１、２、３Ａ、３Ｂ、４、および５を参照して説明されるモバイルデバイス１１５の態様を例示することができるモバイルランドマークデバイス１１５−ｍおよびターゲットモバイルデバイス１１５−ｎを含むことができる。
【００５９】
[0070]  基地局１０５−ｅは、基準信号を含む信号、例えば、ブロードキャスト、を送信する６１０ことができる。モバイルデバイス１１５−ｍは、受信された基準信号に少なくとも部分的に基づいてそれらの位置を決定する６２０ことができる。モバイルランドマークデバイス１１５−ｍは、各々、それらの位置に関連する基準信号および／または情報を含む信号、例えば、ブロードキャスト、を送信する６３０ことができる。ターゲットモバイルデバイス１１５−ｎは、ブロードキャスト信号を受信し、内部クロックに関する基準信号の到着時間を測定する６４０ことができる。ターゲットモバイルデバイス１１５−ｎは、複数の測定された到着時間信号およびモバイルランドマークデバイス１１５−ｍの位置に関連する情報に少なくとも部分的に基づいてＴＤＯＡ法を通じてそれの位置を決定する６５０ことができる。ターゲットモバイルデバイス１１５−ｎは、モバイルランドマークデバイスになり、近隣のターゲットモバイルデバイスの位置を決定するために使用すべき近隣のターゲットモバイルデバイスに関するそれの位置に関連する基準信号および／または情報を含む信号、例えば、ブロードキャスト、を送信する６６０ことができる。
【００６０】
[0071]  図７は、様々な実施形態による、無線通信システム内で通信する方法７００の流れ図を描く。方法７００は、図１、２、３Ａ、３Ｂ、４、５、および６のモバイルデバイスによって実装することができる。
【００６１】
[0072]  ブロック７１０において、方法は、複数のモバイルランドマークデバイスの各々から基準信号を備えるブロードキャストを受信することを含むことができる。ブロック７１０の動作は、様々な実施形態において、図３Ａおよび３Ｂの受信機モジュール３１０、図４の受信機モジュール４１５、図３Ａ、３Ｂ、または４の位置モジュール３３０および／または図３Ｂのランドマーク決定モジュール３４０によって行われる。
【００６２】
[0073]  幾つかの実施形態において、複数のモバイルランドマークデバイスのうちの少なくとも１つは、動作モードにある。さらに加えてまたは代替として、複数のモバイルランドマークデバイスのうちの少なくとも１つは、動作のための電力を供給するためのバッテリを備えることができる。複数のモバイルランドマークデバイスのうちの少なくとも１つは、エアインタフェースに取り付けることができる。幾つかの場合において、決定された位置は、絶対位置である。複数の受信された基準信号の各々は、送信時間を備えることができる。
【００６３】
[0074]  ブロック７２０において、方法は、複数のモバイルランドマークデバイスの各々からの位置情報を識別することを含むことができる。ブロック７２０の動作は、様々な実施形態において、図３Ａ、３Ｂ、または４の位置モジュール３３０、および／または図３Ｂのランドマーク決定モジュール３４０によって行われる。
【００６４】
[0075]  幾つかの場合において、ブロック７３０において、方法は、複数の受信された基準信号および複数の位置情報に少なくとも部分的に基づいて位置を決定することを含む。ブロック７３０の動作は、様々な実施形態において、図３Ａ、３Ｂ、または４の位置モジュール３３０、図３Ｂのランドマーク決定モジュール３４０、および／または図３Ｂのターゲット決定モジュール３５０によって行われる。
【００６５】
[0076]  図８は、様々な実施形態による、無線通信システム内で通信する方法８００の流れ図を描く。方法８００は、方法７００の例であることができ、および、図１、２、３Ａ、３Ｂ、４、５、および６のモバイルデバイス１１５によって実装することができる。
【００６６】
[0077]  ブロック８１０において、方法は、複数のモバイルランドマークデバイスの各々から基準信号を備えるブロードキャストを受信することを含むことができる。ブロック８１０の動作は、様々な実施形態において、図３Ａおよび３Ｂの受信機モジュール３１０、図４の受信機モジュール４１５、図３Ａ、３Ｂ、または４の位置モジュール３３０および／または図３Ｂのランドマーク決定モジュール３４０によって行われる。
【００６７】
[0078]  ブロック８２０において、方法は、複数のモバイルランドマークデバイスの各々からの位置情報を識別することを含むことができる。ブロック８２０の動作は、様々な実施形態において、図３Ａ、３Ｂ、または４の位置モジュール３３０、および／または図３Ｂのランドマーク決定モジュール３４０によって行われる。
【００６８】
[0079]  幾つかの場合において、ブロック８３０において、方法は、複数の受信された基準信号および複数の位置情報に少なくとも部分的に基づいて位置を決定することを含む。ブロック８３０の動作は、様々な実施形態において、図３Ａ、３Ｂ、または４の位置モジュール３３０、図３Ｂのランドマーク決定モジュール３４０、および／または図３Ｂのターゲット決定モジュール３５０によって行われる。
【００６９】
[0080]  ブロック８４０において、方法は、決定された位置に少なくとも部分的に基づいて位置に関連するアウトバウンド基準信号および情報をブロードキャストすることを含むことができる。ブロック８４０の動作は、様々な実施形態において、図３Ａ、３Ｂ、または４の位置モジュール３３０、図３Ｂのランドマーク決定モジュール、図３Ｂのターゲット決定モジュール３５０、図３Ａ、または３Ｂの送信機モジュール３２０、および／または図４の送信機モジュール４１５によって行われる。幾つかの場合において、ブロードキャストは、エアインタフェースを通じて生じる。
【００７０】
[0081]  図９は、様々な実施形態による、無線通信システム内で通信する方法９００の流れ図を描く。方法９００は、方法７００および／または８００の例であることができ、および、図１、２、３Ａ、３Ｂ、４、５、および６のモバイルデバイス１１５によって実装することができる。
【００７１】
[0082]  ブロック９１０において、方法は、複数のモバイルランドマークデバイスの各々から基準信号を備えるブロードキャストを受信することを含むことができる。ブロック９１０の動作は、様々な実施形態において、図３Ａおよび３Ｂの受信機モジュール３１０、図４の受信機モジュール４１５、図３Ａ、３Ｂ、または４の位置モジュール３３０、および／または図３Ｂのランドマーク決定モジュール３４０によって行われる。
【００７２】
[0083]  ブロック９２０において、方法は、複数のモバイルランドマークデバイスの各々からの位置情報を識別することを含むことができる。ブロック９２０の動作は、様々な実施形態において、図３Ａ、３Ｂ、または４の位置モジュール３３０、および／または図３Ｂのランドマーク決定モジュール３４０によって行われる。
【００７３】
[0084]  幾つかの場合において、ブロック９３０において、方法は、受信された複数の基準信号および複数の識別された位置情報に少なくとも部分的に基づいて内部クロックを同期化することを含む。ブロック９３０の動作は、様々な実施形態において、図３Ａ、３Ｂ、または４の位置モジュール３３０、図３Ｂのランドマーク決定モジュール３４０、および／または図３Ｂのターゲット決定モジュール３５０によって行われる。
【００７４】
[0085]  ブロック９４０において、方法は、複数の受信された基準信号のうちの少なくとも２つに関する到着時間を測定することを含む。ブロック９４０の動作は、様々な実施形態において、図３Ａ、３Ｂ、または４の位置モジュール３３０、および／または図３Ｂのランドマーク決定モジュール３４０によって行われる。
【００７５】
[0086]  ブロック９５０において、方法は、複数の受信された基準信号および複数の位置情報に少なくとも部分的に基づいて位置を決定することを含むことができる。ブロック９５０の動作は、様々な実施形態において、図３Ａ、３Ｂ、または４の位置モジュール３３０、図３Ｂのランドマーク決定モジュール３４０、および／または図３Ｂのターゲット決定モジュール３５０によって行われる。
【００７６】
[0087]  幾つかの実施形態において、位置を決定することは、少なくとも２つの測定された到着時間に基づいて到着時間差を計算することと、計算された到着時間差および複数の位置情報に少なくとも部分的に基づいて位置を決定することと、を含む。幾つかの場合において、位置を決定することは、複数のモバイルランドマークデバイスの各々に関して少なくとも２つの測定された到着時間および識別された位置情報に少なくとも部分的に基づいて三角測量および／または多辺測量を行うことを含む。
【００７７】
[0088]  ブロック９６０において、方法は、決定された位置に少なくとも部分的に基づいて位置に関連するアウトバウンド基準信号および情報をブロードキャストすることを含むことができる。ブロック９６０の動作は、様々な実施形態において、図３Ａ、３Ｂ、または４の位置モジュール３３０、図３Ｂのランドマーク決定モジュール３４０、図３Ｂのターゲット決定モジュール３５０、図３Ａ、または３Ｂの送信機モジュール３２０、および／または図４の送信機モジュール４１５によって行われる。
【００７８】
[0089]  方法７００、８００、および９００は、ここにおいて説明されるツールおよび技法の実装例であることを当業者は認識するであろう。方法は、より多くのまたはより少ない数のステップで実行することができ、および、示される以外の順序で実行することができる。
【００７９】
[0090]  ここにおいて説明される技法は、様々な無線通信システム、例えば、ＣＤＭＡ、ＴＤＭＡ、ＦＤＭＡ、ＯＦＤＭＡ、ＳＣ−ＦＤＭＡ、およびその他のシステム、に関して使用することができる。用語“システム”および“ネットワーク”は、しばしば互換可能な形で使用される。ＣＤＭＡシステムは、無線技術、例えば、ＣＤＭＡ２０００、ユニバーサル地上無線アクセス（ＵＴＲＡ）、等を実装することができる。ＣＤＭＡ２０００は、ＩＳ−２０００規格、ＩＳ−９５規格、およびＩＳ−８５６規格を網羅する。ＩＳ−２０００リリース０およびＡは、ＣＤＭＡ２０００  １Ｘ、１Ｘ、等と共通して呼ばれる。ＩＳ−８５６（ＴＩＡ−８５６）は、ＣＤＭＡ２０００  １ｘＥＶ−ＤＯ、高レートパケットデータ（ＨＲＰＤ）、等と共通して呼ばれる。ＵＴＲＡは、ワイドバンドＣＤＭＡ（ＷＣＤＭＡ（登録商標））およびＣＤＭＡのその他の変形を含む。ＴＤＭＡシステムは、グローバル移動通信システム（ＧＳＭ（登録商標））等の無線技術を実装することができる。ＯＦＤＭＡシステムは、Ｕｌｔｒａ  Ｍｏｂｉｌｅ  Ｂｒｏａｄｂａｎｄ（ＵＭＢ）、Ｅｖｏｌｖｅｄ  ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ、等の無線技術を実装することができる。ＵＴＲＡおよびＥ−ＵＴＲＡは、ユニバーサル移動通信システム（ＵＭＴＳ）の一部である。３ＧＰＰ（登録商標）  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、“第３世代パートナーシッププロジェクト”（３ＧＰＰ）という名称の組織からの文書において説明される。ＣＤＭＡ２０００およびＵＭＢは、“第３世代パートナーシッププロジェクト２”（３ＧＰＰ２）という名称の組織からの文書において説明される。ここにおいて説明される技法は、上記のシステムおよび無線技術、およびその他のシステムおよび無線技術に関して使用することができる。しかしながら、上の説明は、例示することを目的としてＬＴＥシステムについて説明するものであり、上の説明の多くではＬＴＥ用語が使用されるが、それらの技法は、ＬＴＥ用途以外で適用可能である。
【００８０】
[0091]  添付される図面と関係させて上述される詳細な説明は、例示的な実施形態について説明するものであり、実装することができるまたは請求項の範囲内にある実施形態のみを代表するものではない。詳細な説明は、説明される技法についての理解を提供することを目的として具体的な詳細を含む。しかしながら、これらの技法は、これらの具体的な詳細なしで実施することができる。幾つかの例において、よく知られた構造およびデバイスは、説明される実施形態の概念を曖昧にすることを避けるためにブロック図の形で示される。
【００８１】
[0092]  情報および信号は、様々な異なる技術および技法のうちのいずれかを用いて表すことができる。例えば、上記の説明全体を通じて参照されることがあるデータ、命令、コマンド、情報、信号、ビット、シンボル、およびチップは、電圧、電流、電磁波、磁場、磁粒子、光学場、光学粒子、またはそれらのあらゆる組合せによって表すことができる。
【００８２】
[0093]  ここにおける開示と関係させて説明される様々な例示的な論理ブロックおよびモジュールは、ここにおいて説明される機能を果たすように設計された汎用プロセッサ、デジタル信号プロセッサ（ＤＳＰ）、特定用途向け集積回路（ＡＳＩＣ）、フィールドプログラマブルゲートアレイ（ＦＰＧＡ）、その他のプログラマブル論理デバイス、ディスクリートゲートロジック、ディスクリートトランジスタロジック、ディスクリートハードウェアコンポーネント、又はそれらのあらゆる組合せ、を用いて実装又は実行することが可能である。汎用プロセッサはマイクロプロセッサであることができるが、代替においては、プロセッサは、従来のどのようなプロセッサ、コントローラ、マイクロコントローラ、又はステートマシンであってもよい。プロセッサは、コンピューティングデバイスの組合せ、例えば、ＤＳＰと、１つのマイクロプロセッサとの組合せ、複数のマイクロプロセッサとの組合せ、ＤＳＰコアと関連する１つ以上のマイクロプロセッサとの組合せ、又はあらゆるその他の構成、として実装することも可能である。
【００８３】
[0094]  ここにおいて説明される機能は、ハードウェア、プロセッサによって実行されるソフトウェア、ファームウェア、またはそれらのあらゆる組み合わせにおいて実装することができる。プロセッサによって実行されるソフトウェアにおいて実装される場合は、これらの機能は、コンピュータ読み取り可能媒体において１つ以上の命令又はコードとして格納すること又は送信することができる。その他の例および実装は、本開示および添付される請求項の範囲および精神内にある。例えば、ソフトウェアの性質に起因して、上述される機能は、プロセッサによって実行されるソフトウェア、ハードウェア、ファームウェア、ハードワイヤリング、又はこれらの組み合わせを用いて実装することができる。機能を実装する特徴は、様々な位置に物理的に配置することができ、機能の一部分が異なる物理的位置において実装されるように分布されることを含む。さらに、請求項内を含むここにおいて使用される場合において、“〜のうちの少なくとも１つの”によって始まる項目のリストにおいて使用される“または”は、離接的リストを示し、従って、例えば、“Ａ、Ｂ、またはＣのうちの少なくとも１つの”のリストは、ＡまたはＢまたはＣまたはＡＢまたはＡＣまたはＢＣまたはＡＢＣ（すなわち、ＡおよびＢおよびＣ）を意味する。
【００８４】
[0095]  コンピュータ読み取り可能媒体は、コンピュータ記憶媒体と、１つの場所から他へのコンピュータプログラムの転送を容易にするあらゆる媒体を含む通信媒体との両方を含む。記憶媒体は、汎用コンピュータ又は専用コンピュータによってアクセス可能なあらゆる利用可能な媒体であることができる。例として、及び限定することなしに、コンピュータ読み取り可能媒体は、ＲＡＭ、ＲＯＭ、ＥＥＰＲＯＭ（登録商標）、ＣＤ−ＲＯＭまたはその他の光学ディスク記憶装置、磁気ディスク記憶装置またはその他の磁気記憶装置、または、命令又はデータ構造の形態で希望されるプログラムコード手段を搬送または格納するために用いることができおよび汎用または専用コンピュータまたは汎用または専用プロセッサによってアクセス可能なその他の媒体、を備えることができる。さらに、いずれの接続もコンピュータによって読み取り可能な媒体であると適切に呼ばれる。例えば、ソフトウェアが、同軸ケーブル、光ファイバケーブル、より対線、デジタル加入者ライン（ＤＳＬ）、又は無線技術、例えば、赤外線、無線、及びマイクロ波、を用いてウェブサイト、サーバ、またはその他の遠隔ソースから送信される場合は、その同軸ケーブル、光ファイバケーブル、より対線、ＤＳＬ、又は無線技術、例えば赤外線、無線、およびマイクロ波、は、媒体の定義の中に含まれる。ここにおいて用いられるときのディスク（ｄｉｓｋ及びｄｉｓｃ）は、コンパクトディスク（ＣＤ）（ｄｉｓｃ）と、レーザーディスク（登録商標）（ｄｉｓｃ）と、光ディスク（ｄｉｓｃ）と、デジタルバーサタイルディスク（ＤＶＤ）（ｄｉｓｃ）と、フロッピー（登録商標）ディスク（ｄｉｓｋ）と、ブルーレイディスク（ｄｉｓｃ）と、を含み、ここで、ｄｉｓｋは通常は磁気的にデータを複製し、ｄｉｓｃは、レーザを用いて光学的にデータを複製する。上記の組み合わせも、コンピュータによって読み取り可能な媒体の適用範囲内に含められる。
【００８５】
[0096]  本開示に関する前の説明は、当業者が本開示を製造又は使用することを可能にするために提供される。本開示に対する様々な変更は、当業者にとって容易に明確になるであろう、およびここにおいて定められる一般原理は、本開示の精神または適用範囲から逸脱せずにその他の変形に対しても適用することができる。本開示全体を通じて、用語“例”又は“例示的な”は、例または実例を示すものであり、挙げられる例が優先されることを意味するものでも要求するものでもない。以上のように、本開示は、ここにおいて説明される例及び設計に限定されるものではなく、ここにおいて開示される原理及び新規の特徴に一致する限りにおいて最も広範な適用範囲が認められるべきである。
以下に本願発明の当初の特許請求の範囲に記載された発明を付記する。
［Ｃ１］
無線通信ネットワーク内で通信する方法であって、
複数のモバイルランドマークデバイスの各々から基準信号を備えるブロードキャストを受信することと、
前記複数のモバイルランドマークデバイスの各々からの位置情報を識別することと、
前記複数の受信された基準信号および前記複数の位置情報に少なくとも部分的に基づいて位置を決定することと、を備える、方法。
［Ｃ２］
前記複数の受信された基準信号のうちの少なくとも２つに関する到着時間を測定することをさらに備える、
Ｃ１に記載の方法。
［Ｃ３］
前記位置を決定することは、
前記少なくとも２つの測定された到着時間に基づいて到着時間差を計算することと、
前記計算された到着時間差および前記複数の位置情報に少なくとも部分的に基づいて前記位置を決定することと、を備える、
Ｃ２に記載の方法。
［Ｃ４］
前記位置を決定することは、前記複数のモバイルランドマークデバイスの各々に関して前記少なくとも２つの測定された到着時間および前記識別された位置情報に少なくとも部分的に基づいて多辺測量を行うことを備える、
Ｃ２に記載の方法。
［Ｃ５］
前記決定された位置に少なくとも部分的に基づいて位置に関連するアウトバウンド基準信号および情報をブロードキャストすることをさらに備える、
Ｃ１に記載の方法。
［Ｃ６］
前記ブロードキャストすることは、エアインタフェースを通じて生じる、
Ｃ５に記載の方法。
［Ｃ７］
前記受信された複数の基準信号または前記複数の識別された位置情報に少なくとも部分的に基づいて内部クロックを同期化することをさらに備える、
Ｃ１に記載の方法。
［Ｃ８］
前記複数のモバイルランドマークデバイスのうちの少なくとも１つは、動作モードにある、
Ｃ１に記載の方法。
［Ｃ９］
前記複数のモバイルランドマークデバイスのうちの少なくとも１つは、動作のための電力を供給するためのバッテリを備える、
Ｃ１に記載の方法。
［Ｃ１０］
前記複数のモバイルランドマークデバイスのうちの少なくとも１つは、エアインタフェースに取り付けられる、
Ｃ１に記載の方法。
［Ｃ１１］
前記決定された位置は、絶対位置である、
Ｃ１に記載の方法。
［Ｃ１２］
前記複数の受信された基準信号の各々は、送信時間を備える、
Ｃ１に記載の方法。
［Ｃ１３］
無線通信のためのシステムであって、
複数のモバイルランドマークデバイスの各々から基準信号を備えるブロードキャストを受信するための手段と、
前記複数のモバイルランドマークデバイスの各々からの位置情報を識別するための手段と、
前記複数の受信された基準信号および前記複数の位置情報に少なくとも部分的に基づいて位置を決定するための手段と、を備える、システム。
［Ｃ１４］
前記複数の受信された基準信号のうちの少なくとも２つに関する到着時間を測定するための手段をさらに備える、
Ｃ１３に記載のシステム。
［Ｃ１５］
前記位置を決定するための前記手段は、
前記少なくとも２つの測定された到着時間に基づいて到着時間差を計算するための手段と、
前記計算された到着時間差および前記複数の位置情報に少なくとも部分的に基づいて前記位置を決定するための手段と、を備える、
Ｃ１４に記載のシステム。
［Ｃ１６］
前記位置を決定するための前記手段は、前記複数のモバイルランドマークデバイスの各々に関して前記少なくとも２つの測定された到着時間および前記識別された位置情報に少なくとも部分的に基づいて多辺測量を行うための手段を備える、
Ｃ１４に記載のシステム。
［Ｃ１７］
前記決定された位置に少なくとも部分的に基づいて位置に関連するアウトバウンド基準信号および情報をブロードキャストするための手段をさらに備える、
Ｃ１３に記載のシステム。
［Ｃ１８］
前記受信された複数の基準信号または前記複数の識別された位置情報に少なくとも部分的に基づいて内部クロックを同期化するための手段をさらに備える、
Ｃ１３に記載のシステム。
［Ｃ１９］
前記複数のモバイルランドマークデバイスのうちの少なくとも１つは、動作モードにある、
Ｃ１３に記載のシステム。
［Ｃ２０］
前記決定された位置は、絶対位置である、
Ｃ１３に記載のシステム。
［Ｃ２１］
前記複数の受信された基準信号の各々は、送信時間を備える、
Ｃ１３に記載のシステム。
［Ｃ２２］
無線通信のための装置であって、
プロセッサと、
前記プロセッサと電子的通信状態にあるメモリと、
前記メモリに格納された命令と、を備え、前記命令は、
複数のモバイルランドマークデバイスの各々から基準信号を備えるブロードキャストを受信し、
前記複数のモバイルランドマークデバイスの各々からの位置情報を識別し、および
前記複数の受信された基準信号および前記複数の位置情報に少なくとも部分的に基づいて位置を決定するために前記プロセッサによって実行可能である、装置。
［Ｃ２３］
前記命令は、
前記複数の受信された基準信号のうちの少なくとも２つに関する到着時間を測定するために前記プロセッサによって実行可能である、
Ｃ２２に記載の装置。
［Ｃ２４］
前記位置を決定するための前記命令は、
前記少なくとも２つの測定された到着時間に基づいて到着時間差を計算し、および
前記計算された到着時間差および前記複数の位置情報に少なくとも部分的に基づいて前記位置を決定するために前記プロセッサによって実行可能である、
Ｃ２３に記載の装置。
［Ｃ２５］
前記命令は、前記決定された位置に少なくとも部分的に基づいて位置に関連するアウトバウンド基準信号および情報をブロードキャストするために前記プロセッサによって実行可能である、
Ｃ２２に記載の装置。
［Ｃ２６］
前記命令は、
前記受信された複数の基準信号および前記複数の識別された位置情報に少なくとも部分的に基づいて内部クロックを同期化するために前記プロセッサによって実行可能である、
Ｃ２２に記載の装置。
［Ｃ２７］
無線通信のための命令を格納する非一時的なコンピュータ読み取り可能媒体であって、前記命令は、
複数のモバイルランドマークデバイスの各々から基準信号を備えるブロードキャストを受信し、
前記複数のモバイルランドマークデバイスの各々からの位置情報を識別し、および
前記複数の受信された基準信号および前記複数の位置情報に少なくとも部分的に基づいて位置を決定するために実行可能である、非一時的なコンピュータ読み取り可能媒体。
［Ｃ２８］
前記位置を決定するための前記命令は、
前記複数の受信された基準信号のうちの少なくとも２つに関する到着時間を測定し、
前記少なくとも２つの測定された到着時間に基づいて到着時間差を計算し、および、
前記計算された到着時間差および前記複数の位置情報に少なくとも部分的に基づいて前記位置を決定するために実行可能である、
Ｃ２７に記載の非一時的なコンピュータ読み取り可能媒体。
［Ｃ２９］
前記命令は、
前記決定された位置に少なくとも部分的に基づいて位置に関連するアウトバウンド基準信号および情報をブロードキャストするために実行可能である、
Ｃ２７に記載の非一時的なコンピュータ読み取り可能媒体。
［Ｃ３０］
前記命令は、
前記受信された複数の基準信号および前記複数の識別された位置情報に少なくとも部分的に基づいて内部クロックを同期化するために実行可能である、
Ｃ２７に記載の非一時的なコンピュータ読み取り可能媒体。
【図１】
0006495287.tif 000002
【図２】
0006495287.tif 000003
【図３Ａ】
0006495287.tif 000004
【図３Ｂ】
0006495287.tif 000005
【図４】
0006495287.tif 000006
【図５】
0006495287.tif 000007
【図６】
0006495287.tif 000008
【図７】
0006495287.tif 000009
【図８】
0006495287.tif 000010
【図９】
0006495287.tif 000011